(57)【要約】  【構成】  コンポジット映像信号は、有効映像信号および同期信号がペデスタルレベルの正極側および負極側にそれぞれ割り当てられた信号である。アナログ増幅回路２２は、このような信号を設定ゲインに従って増幅する。増幅されたコンポジット映像信号のペデスタルレベル値はペデスタル検出回路２８によって検出され、増幅されたコンポジット映像信号に含まれる有効映像信号はビデオデコーダ３６によって抽出される。データ付加回路３６ａは、ペデスタル検出回路２８によって検出されたペデスタルレベル値を、抽出された有効映像信号に付加する。ＮＴＳＣエンコーダは、データ付加回路３６ａによって付加されたペデスタルレベル値に従うペデスタルレベルを有するコンポジット映像信号を作成する。  【効果】  映像の再現性が向上する。【選択図】  図２
2006121541.tif 000002
【特許請求の範囲】
【請求項１】
有効映像信号および同期信号がペデスタルレベルの正極側および負極側にそれぞれ割り当てられたコンポジット映像信号を入力する入力手段、
前記入力手段によって入力されたコンポジット映像信号のペデスタルレベルを検出する検出手段、
前記入力手段によって入力されたコンポジット映像信号から有効映像信号を抽出する抽出手段、
前記検出手段によって検出されたペデスタルレベルを示す数値情報を前記抽出手段によって抽出された有効映像信号に付加する付加手段、および
前記付加手段によって付加された数値情報に従うペデスタルレベルを有するコンポジット映像信号を作成する作成手段を備える、映像信号処理装置。
【請求項２】
前記入力手段は、前記コンポジット映像信号のペデスタルレベルを第１設定値に合わせるための第１ゲインを検出する第１ゲイン検出手段、前記コンポジット映像信号のピークレべルを第２設定値に合わせるための第２ゲインを検出する第２ゲイン検出手段、前記第１ゲインおよび前記第２ゲインの一方を有効化する有効化手段、および前記有効化手段によって有効化されたゲインに従って前記コンポジット映像信号を増幅する増幅手段を含む、請求項１記載の映像信号処理装置。
【請求項３】
前記有効化手段は、前記第１ゲインに従って増幅されたコンポジット映像信号のピークレベルが前記第２設定値を上回るか否かを判別する判別手段、および前記判別手段の判別結果が否定的であるとき前記第１ゲインを選択し、前記判別手段の判別結果が肯定的であるとき前記第２ゲインを選択する選択手段を含む、請求項２記載の映像信号処理装置。
【請求項４】
前記付加手段によって数値情報が付加された映像信号を記録媒体に記録する記録手段、および
前記記録媒体に記録された映像信号を再生する再生手段をさらに備え、
前記作成手段は前記再生手段によって再生された映像信号に基づいて前記コンポジット映像信号を作成する、請求項１ないし３のいずれかに記載の映像信号処理装置。
【請求項５】
請求項１ないし４のいずれかに記載の映像信号処理装置を備える、監視カメラシステム。
【発明の詳細な説明】
【技術分野】
【０００１】
この発明は、映像信号装置に関し、映像信号のゲインを調整する、映像信号処理装置に関する。
【背景技術】
【０００２】
従来のこの種の映像信号処理装置では、アナログ形式のコンポジット映像信号のピークレベルがＡＧＣ回路によって調整され、その後にビデオデコーダによってデコードされる。このとき、ペデスタルレベルを上回る映像信号成分つまり有効映像成分のみが抽出されるビデオデコーダによってデコードされた映像信号は、記録媒体に記録される。記録媒体から再生された映像信号は、ビデオエンコーダによってアナログ形式のコンポジット映像信号に戻される。記録時に欠落した同期信号は、このとき再現される。
【０００３】
このように、ビデオデコーダは、コンポジット映像信号から有効映像成分を抽出する。これによって、ＡＧＣ回路によるゲイン調整時にビデオデコーダのダイナミックレンジを最大限に活用することができる。
【発明の開示】
【発明が解決しようとする課題】
【０００４】
しかし、従来技術では、ビデオエンコーダによって生成されるコンポジット映像信号のペレスタルレベルは、常に同じである。このため、入力されたコンポジット映像信号のペデスタルレベルが規定値よりも低いと、記録時と再生時とでシンクレベル（ＳＬ１）と映像信号レベル（ＶＬ２）との比率にずれが生じ、映像の再現性が低下してしまう。
【０００５】
たとえば、図７（Ａ１）に示すコンポジット映像信号が入力された場合、シンクレベルがシンクＡＧＣ設定値に一致するようにゲイン調整が実行される。ゲイン調整を施されたコンポジット映像信号の有効映像成分は、図７（Ｂ１）に示すようにレベルＶＬ１を有する。ビデオデコーダはかかる有効映像成分を抽出する。ビデオエンコーダは、デコードされた映像信号をコンポジット映像信号に変換する。変換されたコンポジット映像信号は、図７（Ｃ１）に示す波形を描く。有効映像成分は、レベルＶＬ１を有する。このとき、シンクレベルと映像信号レベルとの比率は、記録時と再生時とで一致する。
【０００６】
しかし、図７（Ａ２）に示すようにペデスタルレベルが低下したコンポジット映像信号が入力されると、ＡＧＣ処理を施されたコンポジット映像信号は図７（Ｂ２）に示す波形を描く。有効映像成分はピークＡＧＣにより制御され、シンクレベルはシンクＡＧＣ設定値に達しないＳＬ２となる。かかる有効映像成分が、ビデオデコーダによって抽出される。デコードされた映像信号がビデオエンコーダによってコンポジット映像信号に戻されると、このコンポジット映像信号は図７（Ｃ２）に示す波形を描く。このとき、シンクレベルと映像信号レベルとの比率は、記録時と再生時とで相違する。
【０００７】
それゆえに、この発明の主たる目的は、映像の再現性を向上させることができる、映像信号処理装置を提供することである。
【課題を解決するための手段】
【０００８】
請求項１の発明に従う映像信号処理装置は、有効映像信号および同期信号がペデスタルレベルの正極側および負極側にそれぞれ割り当てられたコンポジット映像信号を入力する入力手段、入力手段によって入力されたコンポジット映像信号のペデスタルレベルを検出する検出手段、入力手段によって入力されたコンポジット映像信号から有効映像信号を抽出する抽出手段、検出手段によって検出されたペデスタルレベルを示す数値情報を抽出手段によって抽出された有効映像信号に付加する付加手段、および付加手段によって付加された数値情報に従うペデスタルレベルを有するコンポジット映像信号を作成する作成手段を備える。
【０００９】
コンポジット映像信号は、有効映像信号および同期信号がペデスタルレベルの正極側および負極側にそれぞれ割り当てられた信号である。入力手段は、このような信号を入力する。入力されたコンポジット映像信号のペデスタルレベルは検出手段によって検出され、入力されたコンポジット映像信号に含まれる有効映像信号は抽出手段によって抽出される。付加手段は、検出手段によって検出されたペデスタルレベルを示す数値情報を、抽出手段によって抽出された有効映像信号に付加する。作成手段は、付加手段によって付加された数値情報に従うペデスタルレベルを有するコンポジット映像信号を作成する。
【００１０】
つまり、作成手段によって作成されるコンポジット映像信号のペデスタルレベルは、付加手段によって付加された数値情報に基づいて調整される。この結果、ペデスタルレベルの変動に起因してシンクレベルと映像信号レベルとの比率が相違する現象が回避され、映像の再現性が向上する。
【００１１】
請求項２の発明に従う映像信号処理装置は、請求項１に従属し、入力手段は、コンポジット映像信号のペデスタルレベルを第１設定値に合わせるための第１ゲインを検出する第１ゲイン検出手段、コンポジット映像信号のピークレベルを第２設定値に合わせるための第２ゲインを検出する第２検出手段、第１ゲインおよび第２ゲインの一方を有効化する有効化手段、および有効化手段によって有効化されたゲインに従ってコンポジット映像信号を増幅する増幅手段を含む。
【００１２】
したがって、第１ゲインが選択されると、コンポジット映像信号は、ペデスタルレベルが第１設定値に合わせられるように増幅される。一方、第２ゲインが選択されると、コンポジット映像信号は、ピークレベルが第２設定値に合わせられるように増幅される。これによって、映像の再現性の向上に加えて、ペデスタルレベルの変動の抑制が可能となる。
【００１３】
請求項３の発明に従う映像信号処理装置は、請求項２に従属し、有効化手段は、第１ゲインに従って増幅されたコンポジット映像信号のピークレベルが第２設定値を上回るか否かを判別する判別手段、および判別手段の判別結果が否定的であるとき第１ゲインを選択し、判別手段の判別結果が肯定的であるとき第２ゲインを選択する選択手段を含む。
【００１４】
請求項４の発明に従う映像信号処理装置は、請求項１ないし３のいずれかに従属し、付加手段によって数値情報が付加された映像信号を記録媒体に記録する記録手段、および記録媒体に記録された映像信号を再生する再生手段をさらに備え、作成手段は再生手段によって再生された映像信号に基づいてコンポジット映像信号を作成する。
【００１５】
請求項５の発明に従う監視カメラシステムは、請求項１ないし４のいずれかに記載の映像信号処理装置を備える。
【発明の効果】
【００１６】
この発明によれば、作成手段によって作成されるコンポジット映像信号のペデスタルレベルは、付加手段によって付加された数値情報に基づいて調整される。この結果、ペデスタルレベルの変動に起因してシンクレベルと映像信号レベルとの比率が相違する現象が回避され、映像の再現性が向上する。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の監視カメラシステム１０は、監視カメラ１２を含む。監視カメラ１２は、監視エリアを撮影し、アナログ形式のコンポジット映像信号を出力する。出力されたコンポジット映像信号はビデオ入力回路１４によってディジタル映像信号に変換される。変換されたディジタル映像信号は、記録／再生系１６によって記録媒体（図示せず）に記録される。記録／再生系１６によって記録媒体から再生されたディジタル映像信号は、ビデオ出力回路１８によってコンポジット映像信号に戻される。ビデオ出力回路１８から出力されたコンポジット映像信号はモニタ２０に与えられ、この結果、監視映像が画面に表示される。
【００１９】
ビデオ入力回路１４は、図２に示すように構成される。監視カメラ１２からのコンポジット映像信号は、入力端子Ｓ１を経てアナログ増幅回路２２に与えられる。アナログ増幅回路２２は、ゲイン制御回路３４によって設定されたゲインに従ってコンポジット映像信号を増幅する。図５（Ａ）に示すコンポジット映像信号が入力端子Ｓ１から入力された場合、アナログ増幅回路２２からは図５（Ｂ）に示すコンポジット映像信号が出力される。
【００２０】
なお、図５（Ａ）または図５（Ｂ）から分かるように、コンポジット映像信号は、ペデスタルレベルの正極側に有効映像信号が割り当てられ、ペデスタルレベルの負極側に同期信号が割り当てられた信号である。
【００２１】
アナログ増幅回路２２から出力されたコンポジット映像信号は、Ａ／Ｄ変換器２４によってディジタル信号に変換される。ペデスタル検出回路２８は、Ａ／Ｄ変換器２４から出力されたコンポジット映像信号のペデスタルレベル値を検出し、検出されたペデスタルレベル値をビデオデコーダ３６に与える。
【００２２】
ビデオデコーダ３６は、Ａ／Ｄ変換器２４から出力されたコンポジット映像信号から有効映像信号を抽出し、有効映像信号の先頭および末尾にＳＡＶ(Start of Active Video)およびＥＡＶ(End of Active Video)をそれぞれ付加し、そしてＳＡＶに先行する所定位置にペデルタルレベル値を付加する。これによって、図５（Ｃ）に示すデータ構造を有するディジタル映像信号が作成される。作成されたディジタル映像信号は、出力端子Ｓ２から出力される。なお、ペデルタルレベル値は、データ付加回路３６ａによって上述の所定位置に付加される。
【００２３】
図２に戻って、シンクＡＧＣ回路２６は、ペデスタル検出回路２８によって検出されたペデスタルレベル値を入力し、入力されたペデスタルレベル値がシンクＡＧＣ設定値に一致するゲインＳを特定し、そしてＡ／Ｄ変換器２４からのコンポジット映像信号をゲインＳに従って増幅する。
【００２４】
したがって、図６（Ａ１）に示すコンポジット映像信号がＡ／Ｄ変換器２４から出力された場合は、図６（Ｂ１）に示すコンポジット映像信号がシンクＡＧＣ回路２６から出力される。また、図６（Ａ２）に示すコンポジット映像信号がＡ／Ｄ変換器２４から出力された場合は、図６（Ｂ２）に示すコンポジット映像信号がシンクＡＧＣ回路２６から出力される。
【００２５】
図６（Ｂ１）および図６（Ｂ２）のいずれにおいても、ペデスタルレベルはシンクＡＧＣ設定値と一致する。ただし、図６（Ａ２）に示すコンポジット映像信号のペデスタルレベルは、図６（Ａ１）に示すコンポジット映像信号のペデスタルレベルよりも低い。このため、図６（Ｂ２）に示すコンポジット映像信号のピークレベルは、図６（Ｂ１）に示すコンポジット映像信号のピークレベルよりも高くなる。
【００２６】
図２に戻って、ピーク検出回路３２は、シンクＡＧＣ回路２６から出力されたコンポジット映像信号のピークレベル値を検出し、検出されたピークレベル値をピークＡＧＣ回路３０に与える。ピークＡＧＣ回路２６は、与えられたピークレベル値がピークＡＧＣ設定値に一致するゲインＰを特定し、シンクＡＧＣ回路２６からのコンポジット映像信号をゲインＰに従って増幅する。
【００２７】
したがって、図６（Ｂ１）に示すコンポジット映像信号がシンクＡＧＣ回路２６から出力されたときは、図６（Ｃ１）に示すコンポジット映像信号がピークＡＧＣ回路３０から出力される。また、図６（Ｂ２）に示すコンポジット映像信号がシンクＡＧＣ回路２６から出力された場合は、図６（Ｃ２）に示すコンポジット映像信号がピークＡＧＣ回路３０から出力される。
【００２８】
図６（Ｃ１）および図６（Ｃ２）のいずれにおいても、ピークレベルはピークＡＧＣ設定値と一致する。ただし、図６（Ｂ１）に示すコンポジット映像信号に付与されるゲインＰは“１．０”を上回る一方、図６（Ｂ２）に示すコンポジット映像信号に付与されるゲインＰは“１．０”を下回る。この結果、図６（Ｃ１）に示すコンポジット映像信号のペデスタルレベルはシンクＡＧＣ設定値を上回り、図６（Ｃ２）に示すコンポジット映像信号のペデスタルレベルはシンクＡＧＣ設定値を下回る。
【００２９】
シンクＡＧＣ回路２６で求められたゲインＳ，ピークＡＧＣ回路３０で求められたゲインＰおよびピーク検出回路３２で求められたピークレベル値は、ゲイン制御回路３４に与えられる。ゲイン制御回路は、ピークレベル値に基づいて、ゲインＳおよびゲインＳ＊Ｐのいずれか一方をアナログ増幅回路２２に設定する。
【００３０】
ゲイン制御回路３４は、図３に示すように構成される。ゲインＳはレジスタ３４ｄに設定される。ゲインＰは掛け算器３４ｅによってゲインＳと掛け算される。レジスタ３４ｃには、ゲインＳ＊Ｐが設定される。比較器３４ｂは、ピークレベル値を上述のピークＡＧＣ設定値と比較する。比較器３４ｂは、ピークレベル値がピークＡＧＣ設定値以下のときスイッチＳＷ１をレジスタ３４ｄ側に接続し、ピークレベル値がピークＡＧＣ設定値よりも大きいときスイッチＳＷ１をレジスタ３４ｃ側に接続する。
【００３１】
したがって、ピークレベル値がピークＡＧＣ設定値以下のときは、ゲインＳがＤ／Ａ変換器３４ｄを介してアナログ増幅器２２に出力される。一方、ピークレベル値がピークＡＧＣ設定値を上回るときは、ゲインＳ＊ＰがＤ／Ａ変換器３４ａを介してアナログ増幅器２２に出力される。
【００３２】
この結果、アナログ増幅回路２２から出力されるコンポジット映像信号の波形は、図６（Ｂ１）または図６（Ｃ２）に示す波形に収束する。図６（Ｂ１）に示す波形に収束したコンポジット映像信号が得られたときは、シンクＡＧＣ設定値と同じ数値を示すペデスタルレベル値が、データ付加回路３６ａによってディジタル映像信号に付加される。これに対して、図６（Ｃ２）に示す波形に収束したコンポジット映像信号が得られたときは、シンクＡＧＣ設定値をわずかに下回る数値を示すペデスタルレベル値が、データ付加回路３６ａによってディジタル映像信号に付加される。
【００３３】
ビデオ出力回路１８は、図４に示すように構成される。記録／再生系１６から出力されたディジタル映像信号は、ＮＴＳＣエンコーダ３８，レベル読み取り回路４０およびＥＡＶ検出回路４４に与えられる。ＥＡＶ検出回路４４は、ディジタル映像信号に付加されたＥＡＶを検出したとき、カウンタ４２を起動する。カウンタ４２は、クロックに応答してインクリメントされる。レベル読み取り回路４０は、カウンタ４２のカウント値に基づいてペデスタルレベル値が付加された位置を検出し、ペデスタルレベル値を読み取る。読み取られたペデスタルレベル値は、ＮＴＳＣエンコーダ３８に与えられる。
【００３４】
ＮＴＳＣエンコーダ３８は、ディジタル映像信号をアナログ形式のコンポジット映像信号に変換する。変換されるコンポジット映像信号のペデスタルレベルは、レベル読み取り回路４０から与えられたペデスタルレベル値に従う。こうして、図５（Ｄ）に示すコンポジット映像信号が作成され、モニタ２０に向けて出力される。
【００３５】
以上の説明から分かるように、コンポジット映像信号は、有効映像信号および同期信号がペデスタルレベルの正極側および負極側にそれぞれ割り当てられた信号である。ビデオ入力回路１４を形成するアナログ増幅回路２２は、このようなコンポジット映像信号を入力し、入力されたコンポジット映像信号を設定ゲインに従って増幅する。増幅されたコンポジット映像信号のペデスタルレベル値はペデスタル検出回路２８によって検出され、増幅されたコンポジット映像信号に含まれる有効映像信号はビデオデコーダ３６によって抽出される。データ付加回路３６ａは、ペデスタル検出回路２８によって検出されたペデスタルレベル値を、抽出された有効映像信号に付加する。ビデオ出力回路１８を形成するＮＴＳＣエンコーダ３８は、データ付加回路３６ａによって付加されたペデスタルレベル値に従うペデスタルレベルを有するコンポジット映像信号を作成する。
【００３６】
つまり、ＮＴＳＣエンコーダ３８によって作成されるコンポジット映像信号のペデスタルレベルは、データ付加回路によって付加されたペデスタルレベル値に基づいて調整される。この結果、ペデスタルレベルの変動に起因してシンクレベルと映像信号レベルとの比率が相違する現象が回避され、映像の再現性が向上する。
【００３７】
また、アナログ増幅回路２２に設定されるゲインは、ゲイン制御回路３４によって制御される。つまり、コンポジット映像信号のペデスタルレベルをシンクＡＧＣ設定値に合わせるためのゲインＳ、およびコンポジット映像信号のピークレベルをピークＡＧＣ設定値に合わせるためのゲインＳ＊Ｐのいずれか一方が、アナログ増幅回路２２に設定される。より詳しくは、ゲインＳに従って増幅されたコンポジット映像信号のピークレベルがピークＡＧＣ設定値以下のときはゲインＳがアナログ増幅回路２２に設定され、ゲインＳに従って増幅されたコンポジット映像信号のピークレベルがピークＡＧＣ設定値を上回るときはゲインＳ＊Ｐがアナログ増幅回路２２に設定される。これによって、映像の再現性の向上させることができるだけでなく、ペデスタルレベルの頻繁な変動を抑えることができる。
【図面の簡単な説明】
【００３８】
【図１】この発明の一実施例の構成を示すブロック図である。
【図２】図１実施例に適用されるビデオ入力回路の構成の一例を示すブロック図である。
【図３】図２実施例に適用されるゲイン調整回路の構成の一例を示すブロック図である。
【図４】図１実施例に適用されるビデオ出力回路の構成の一例を示すブロック図である。
【図５】（Ａ）は入力されたアナログ映像信号の一例を示す波形図であり、（Ｂ）は増幅されたアナログ映像信号の一例を示す波形図であり、（Ｃ）はデコードされたディジタル映像信号の一例を示す図解図であり、そして（Ｄ）はエンコードされたアナログ映像信号の一例を示す波形図である。
【図６】（Ａ１）はシンクＡＧＣを施される前の映像信号の一例を示す波形図であり、（Ｂ１）はシンクＡＧＣを施された後の映像信号の一例を示す波形図であり、（Ｃ１）はピークＡＧＣを施された後の映像信号の一例を示す波形図であり、（Ａ２）はシンクＡＧＣを施される前の映像信号の他の一例を示す波形図であり、（Ｂ２）はシンクＡＧＣを施された後の映像信号の他の一例を示す波形図であり、そして（Ｃ２）はピークＡＧＣを施された後の映像信号の他の一例を示す波形図である。
【図７】従来技術の動作の一部を示すタイミング図である。
【符号の説明】
【００３９】
１０  …監視カメラシステム
１４  …ビデオ入力回路
１８  …ビデオ出力回路
２２  …アナログ増幅回路
２６  …シンクＡＧＣ回路
３０  …ピークＡＧＣ回路
３４  …ゲイン制御回路
３６  …データ付加回路
４０  …ＮＴＳＣエンコーダ
４２  …シンクレベル読み取り回路
【図１】
2006121541.tif 000003
【図２】
2006121541.tif 000004
【図３】
2006121541.tif 000005
【図４】
2006121541.tif 000006
【図５】
2006121541.tif 000007
【図６】
2006121541.tif 000008
【図７】
2006121541.tif 000009